(57)【要約】      （修正有） 【課題】  卓球ネット高および卓球ネットの張力の双方を一台の器具で測定することのできる卓球用ゲージを提供すること。【解決手段】  肉厚が一定の金属平板を所定重量の音叉型に形成したゲージ本体１０２の、２本の平行に延びるゲージレッグ１０２ａおよび１０２ｂの下端Ａを同レベルに形成し、脚部１０２ａ、１０２ｂ間の溝部１０３の内底面にはそれぞれ深さの異なる第一のＵ字溝１０３ａと第二のＵ字溝１０３ｂを形成するとともに、ゲージ本体１０２の側縁部には、ゲージ端Ａからの高さがそれぞれ異なる位置にネット高とラバー厚の測定部を兼用する肩部１０４を形成した。【選択図】図１
2005245924.tif 000002
【特許請求の範囲】
【請求項１】
略平行に延びる一対の脚部と前記脚部上端を繋ぐブリッジ部とからなり、卓球台上に張った卓球ネットの張り具合をチェックする肉厚が略一定の平板で形成されたフォーク型の卓球用ゲージにおいて、
前記脚部の下端を高さ方向において略同レベルに形成し、前記少なくとも一方の脚部には前記脚部の下端を基準としてネットの高さを指示する高さゲージ部を設けるとともに、  前記卓球用ゲージの総重量をネットの緊張具合をチェックする所定の重量に形成し、前記一対の脚部間で前記卓球台に張ったネットを跨ぐように挿入し、且つ、前記ブリッジ部内底面にネット上端を当接させた状態において、前記ネットが所定の緊張状態であれば前記脚部の下端が前記卓球台に当接しない張力ゲージ高に前記脚部下端から前記ネット当接面までの高さを形成したことを特徴とする卓球用ゲージ。
【請求項２】
前記ブリッジ部の内底面には、第一の嵌合溝と第二の嵌合溝を形成して異なる２つの高さに前記張力ゲージ高を形成するとともに、前記高さゲージ部は、前記卓球用ゲージ両外側縁部に前記脚部下端からの高さがそれぞれ異なる第一の肩部と第二の肩部からなる切欠き形状に形成し、前記肩部の切欠き深さを所定の深さに形成して前記第一の肩部にはラバー厚ゲージを兼用させ、前記第二の肩部にはラバーシート厚ゲージを兼用させたことを特徴とする請求項１に記載の卓球用ゲージ。
【請求項３】
前記第一の嵌合溝および第二の嵌合溝はＵ字型に形成したことを特徴とする請求項２に記載の卓球用ゲージ。
【発明の詳細な説明】
【技術分野】
【０００１】
本発明は、卓球用ゲージに係り、特に審判等がネット高および、卓球台上に張ったネットの中央位置での撓みが適正範囲内にあるか否かを一台の器具で判定するための卓球用ゲージに関する。
【背景技術】
【０００２】
卓球台上に張った卓球ネットのネット高を測定するための卓球用ゲージが提案されている。この卓球用ゲージを図３に示す。  
【０００３】
図３に示すゲージ３０１は、卓球台に張った卓球ネット２０１に跨がせてネット高を測定するため、肉厚が一定の金属平板により形成されたゲージ本体３０２がフォーク型に形成されていて、２本の平行に延びるゲージレッグ３０２ａおよび３０２ｂの上端をブリッジ部３０２ｃが繋いだ状態になっている。また、ゲージレッグ３０２ａおよび３０２ｂの下端は同レベルに形成されていて、ネット高測定時のゲージ端Ｂをなしている。
【０００４】
ゲージレッグ３０２ａおよび３０２ｂ間の溝は、公式ネット高ゲージ部３０３をなしていて、ゲージ端Ｂから溝部内底面の公式ネット高基準面３０３ａまでの高さＨ５が公式ルールに従ったネットの基準高（１５．２５ｃｍ）に形成されている。
【０００５】
ゲージ本体３０２のゲージレッグ３０３ａ側の外側縁部には、肩部３０４が形成されていて、ラージボール式ネット高ゲージ部およびラバーゲージを兼用している。ゲージ端Ｂから肩部水平面のラージボール式ネット高基準面３０４ａまでの高さＨ６はラージボール式ルールに従ったネットの基準高（１７．２５ｃｍ）に形成されている。
【０００６】
更に、ゲージレッグ３０２ａ側の外側縁部は、ラバー厚み基準面３０４ｂをなしていて肩部の切欠き深さＤ３は、ルールに従ったラバーシート基準厚（２．０ｍｍ）に形成されている。
【０００７】
また、ゲージレッグ３０２ｂ側の外側縁部には、肩部３０５が形成されていてラバーシートゲージをなしている。外側縁部は、ラバーの厚み基準面３０５ａをなしていて、肩部の切欠き深さＤ４は、ルールに従ったラバー基準厚（４．０ｍｍ）に形成されている。
【０００８】
公式競技の場合には、ネット高ゲージ部３０３をネット２０１に跨がせた状態で、ゲージ端Ｂを卓球台２０２の上面に当接し、公式ネット高基準面３０３ａにネット２０１上端２０１ａが当接する高さにネット２０１を張って使用する。
【０００９】
一方、ラージボール式競技の場合には、ゲージ本体の側縁部３０４ｂをネット２０１の側面に沿わせた状態でゲージ端Ｂを卓球台２０２の上面に当接し、ネット２０１上端がラージボール式ネット高基準面３０４ａに当接する高さにネット２０１を張って使用する。
【００１０】
更に、ラバーシートの厚みを測定する場合には、ラバーシート厚基準面３０４ｂをラバーシートに当接して、ラバーシートが基準厚の範囲内にあるか否か測定する。ラバーの厚みを測定する場合にも同様に、ラバー厚基準面３０５ａをラバーに当接して測定する。
【非特許文献１】「TABLE TENNIS EQUIPMENT SPRING 2003 Butterfly CATALOG」株式会社タマス発行
【発明の開示】
【発明が解決しようとする課題】
【００１１】
現在卓球競技においては、硬式のスモールボール（４０ｍｍ球）を用いる公式競技と、軟式のラージボール（４４ｍｍ球）を用いるラージボール式競技の２種類がある。どちらの方式においてもネットの張り方がルールで規定されていて、それぞれネット高やネット張力が厳格に決められている。
【００１２】
例えば、公式競技におけるネット高は卓球台上面からネットの上端部までの高さが１５．２５cm、ラージボール式競技においては、１７．２５ｃｍと規定されている。
【００１３】
また、ネットの張力は、ネット上に１００ｇの負荷を加えたときのネット降下量が１ｃｍ未満でなければならないと規定されていて、所定の範囲内の緊張状態にネットを張ることが決められている。
【００１４】
図３に示す従来の構成の卓球用ゲージ３０１を用いれば、公式、ラージボール式2種類のネット高を測定することができた。
【００１５】
しかし、図３に示す従来の構成のゲージ３０１に、ネットの緊張状態を測定する機能は備わっておらず、ネット２０１がルールに規定された所定の張力の範囲内にあるか否かを判定することはできなかった。
【００１６】
卓球競技は、ネットの張り具合がボールに与える影響は他の球技に比べても大きく、弛んだネットに当たったボールはネットに弾かれることなくコートに落下するが、このことは、ラリーが続かない原因の一つとして考えられる。従って、ネットを所定の高さおよび所定の緊張状態に保つために、ネット高および降下量の双方をこまめに測定する必要がある。
【００１７】
本願発明の目的は、上記観点に鑑みなされたものであって、ネット高およびネット張力の双方を一台の器具で簡単に測定することができる卓球用ゲージを提供することである。
【課題を解決するための手段】
【００１８】
本願発明の第一の構成は、請求項１に記載のように略平行に延びる一対の脚部と前記脚部上端を繋ぐブリッジ部とからなり、卓球台上に張った卓球ネットの張り具合をチェックする肉厚が略一定の平板で形成されたフォーク型の卓球用ゲージにおいて、前記脚部の下端を高さ方向において略同レベルに形成し、前記少なくとも一方の脚部には前記脚部の下端を基準としてネットの高さを指示する高さゲージ部を設けるとともに、前記卓球用ゲージの総重量をネットの緊張具合をチェックする所定の重量に形成し、前記一対の脚部間で前記卓球台に張ったネットを跨ぐように挿入し、且つ、前記ブリッジ部内底面にネット上端を当接させた状態において、前記ネットが所定の緊張状態であれば前記脚部の下端が前記卓球台に当接しない張力ゲージ高に前記脚部下端から前記ネット当接面までの高さを形成したことを特徴とする。
【００１９】
本願発明の第二の構成は、前記ブリッジ部の内底面には、第一の嵌合溝と第二の嵌合溝を形成して異なる２つの高さに前記張力ゲージ高を形成するとともに、前記高さゲージ部は、前記卓球用ゲージ両外側縁部に前記脚部下端からの高さがそれぞれ異なる第一の肩部と第二の肩部からなる切欠き形状に形成し、前記肩部の切欠き深さを所定の深さに形成して前記第一の肩部にはラバー厚ゲージを兼用させ、前記第二の肩部にはラバーシート厚ゲージを兼用させたことを特徴とする。
【００２０】
本願発明の第三の構成は、前記第一の嵌合溝および第二の嵌合溝はＵ字型に形成したことを特徴とする。
【発明の効果】
【００２１】
請求項１に係る発明によれば、卓球用ゲージの脚部を卓球台上に張った卓球ネットに沿わせて立て、高さゲージ部に指示されている高さにネットが張られているか目視すれば前記卓球ネットがルールに従ったネット高に張られているか否かチェックすることができる。
【００２２】
ネット高をチェックした後、前記一対の脚部間に前記卓球台に張ったネットを跨ぐように挿入し、且つ、前記ブリッジ部内底面にネット上端を当接させた状態において、前記所定の重量に形成された前記脚部の下端が前記卓球台上面に当接せずに浮いた状態にあるか確認すれば、卓球ネットがルールに従った所定の緊張状態に張られているか否かチェックすることができる。
【００２３】
従って、一つの卓球用ゲージでネット高およびネット降下量の双方を簡単に測定し、判定することができる。
【００２４】
請求項２に係る発明によれば、２つの張力ゲージ高を設けたことで、請求項１の効果に加えて、２種類のネット張力をチェックすることができる。特に、張力ゲージ高を公式用高、ラージボール式高に形成すれば、一台の器具で公式ネット張力とラージボール式ネット張力の双方をチェックすることができる。
【００２５】
また、前記高さゲージ肩部からなる切欠き形状に形成したことで、前記肩部の水平面に前記ネット上端を当接すれば、目視に頼るよりもより正確にネット高を判定することができる。
【００２６】
更に、前記肩部の切欠きを所定の深さに形成して前記ラバーおよびラバーシート厚ゲージを兼用させたことで、ネット高およびネット張力のみならずラバーおよびラバーシートの厚みが所定の範囲内にあるか否か測定することができる。
【００２７】
請求項３に係る発明によれば、前記嵌合溝をＵ字型に形成したことで、前記嵌合溝を前記卓球ネットに跨がせた状態においても前記ネットが前記嵌合溝内で横ずれせずネット撓み量を正確に測定することができ、前記ネットが所定の緊張状態に張られているか正確にチェックすることができる。
【発明を実施するための最良の形態】
【００２８】
本願発明の第一の実施の形態を図１に示す。図中(A)は、ネット２０１測定用の一面を示し、（B）は(A)の裏面で、ラバー厚およびラバーシート厚測定用面である。
【００２９】
卓球用ゲージ１０１は、肉厚が一定の金属平板により形成されたゲージ本体１０２がフォーク型に形成されていて、２本の平行に延びるゲージレッグ１０２ａ（脚部）および１０２ｂの上端をブリッジ部１０２ｃで繋ぐ形状になっている。また、ゲージレッグ１０２ａおよび１０２ｂの下端は同レベルに形成されていて、ネット高測定時のゲージ端Ａをなしている。
【００３０】
また、ゲージ本体１０２は、競技ルールに従ったネットの撓みを判定するための所定負荷重量に形成されていて、本実施の形態においては、塗装状態で総重量１００ｇの金属平板がフォーク型に形成されている。
【００３１】
ゲージレッグ１０２ａおよび１０２ｂ間の凹溝部１０３はネット降下量ゲージで、凹溝部１０３のゲージレッグ１０２ａ側の内底面には、第一のＵ字溝としての公式ネット降下量ゲージ溝１０３ａが形成されており、ゲージレッグ１０２ｂ側の内底面には、第二のＵ字溝としてのラージボール式ネット降下量ゲージ溝１０３ｂが形成されている。Ｕ字溝の頂点Ｐ１および頂点Ｐ２は、図２に示すゲージ１０１の使用状態において、それぞれネット２０１上端部との当接部をなす。
【００３２】
ゲージ端Ａから公式ネット降下量ゲージ溝１０３ａの頂点Ｐ１までの高さＨ１は、凹溝部１０３で卓球台に２０２上に張ったネット２０１を跨ぐように凹溝部１０３にネット２０１を挿入し、且つ、公式ネット降下量の頂点Ｐ１にネット２０１上端を当接させた状態において、ネット２０１が所定の緊張状態であればゲージ端Ａが卓球台２０１に当接しない高さに形成されている。
【００３３】
本実施の形態においては、ルールに従った公式ネット高（１５．２５ｃｍ）から、許容されるネット降下量（１ｃｍ）を差し引いた高さ（１４．２５ｃｍ）に形成されている。
【００３４】
一方、ゲージ端Ａからラージボール式ネット降下量ゲージ溝１０３ｂの頂点Ｐ２までの高さＨ２もＨ１と同様に凹溝部１０３を卓球台に２０２上に張ったネット２０１を跨がせて、且つ、公式ネット降下量の頂点Ｐ１にネット２０１上端を当接させた状態において、ネット２０１が所定の緊張状態であればゲージ端Ａが卓球台２０１に当接しない高さに形成されており、本実施の形態においては、ルールに従ったラージボール式ネット高（１７．２５ｃｍ）から、許容されるネット降下量を差し引いた高さ（１６・２５ｃｍ）に形成されている。
【００３５】
従って、図２に示すように、ネット２０１を卓球台に張った状態で、ネット２０１の中央部上端に、ネット降下量ゲージ１０３を跨がせ、ゲージ端Ａが卓球台上に当接しない緊張状態にネット２０１を張られているか否かチェックすることができる。
【００３６】
尚、本実施の形態においては、公式ネット降下量のゲージ高Ｈ１は１４．２５ｃｍ、ラージボール式ネット降下量ゲージ高Ｈ２は１６．２５ｃｍに形成されているが、ネット降下量ゲージ高はこれに限られるものではなく、ルールの改正等により基準ネット降下量が変更された場合のゲージ高に対応させてもよい。
【００３７】
一方、ゲージ本体１０２のゲージレッグ１０２ａ側の側縁部には、切欠き形状の肩部１０４が形成されていて、公式ネット高ゲージおよびラバーゲージを兼用している。    
【００３８】
ゲージ端Ａから肩部１０４水平面の公式ネット高基準面１０４ａまでの高さＨ３は公式ルールに従ったネットの基準高（１５．２５ｃｍ）に形成されている。
【００３９】
更に、側縁部は、ラバー厚み基準面１０４ｂをなしていて肩部の切欠き深さＤ１は、ルールに従ったラバー基準厚（４．０ｍｍ）に形成されている。
【００４０】
また、ゲージレッグ１０２ｂ側の側縁部には、切欠き形状の肩部１０５が形成されていて、ラージボール式ネット高ゲージおよびラバーシートゲージを兼用している。
【００４１】
ゲージ端Ａから肩部１０４天井面のラージボール式ネット高基準面１０５ａまでの高さＨ４はラージボール式ルールに従ったネットの基準高（１７．２５ｃｍ）に形成されている。
【００４２】
更に、側縁部は、ラバーシート厚み基準面１０５ｂをなしていて肩部の切欠き深さＤ２は、ルールに従ったラバーシート基準厚（２．０ｍｍ）の深さに形成されている。
【００４３】
従って、ネット２０１を張るときには、ゲージ本体１０２の開放端Ａを卓球台２０２上面に当接させた上、ネット高ゲージ１０４をネット２０１の側面に沿って立て、ネット高基準面１０４ａまたは１０５ａにネット２０１の上端２０１ａが当接する状態にネット２０１が張られているか否か判定することができる。更に、ゲージ本体１０２(ａ)面には、降下量ゲージ部、高さゲージ部の長さを表示し、測定時に測定ゲージを間違えることのないようにしている。
【００４４】
尚、公式ネット高ゲージは１５．２５ｃｍ、ラージボール式ネット高ゲージは１７．２５ｃｍに形成されているが、ネットゲージ高はこれに限られるものではなく、ルールの改正等により基準ネット高が変更された場合のゲージ高に対応させてもよい。
【００４５】
また、ラバーの厚みを測定する場合には、ラバー厚み基準面１０４ｂをラバーの厚み方向に当接させて、ラバーが基準厚Ｄ１の範囲内にあるか否か測定する。ラバーシートの厚みを測定する場合にも同様に、ラバーシート厚み基準面１０５ｂをラバー上面に当接させて測定する。ゲージ本体１０２（ｂ）面には、ラバー厚、ラバーシート厚を表示して測定ゲージを間違えることのないようにしている。
【００４６】
尚、肩部１０４および１０５の深さは、ルールの改正等により基準ラバー厚およびラバーシート厚が変更された場合の深さに対応させてもよい。
【００４７】
本実施の形態においては、ラバー厚およびラバーシート厚の測定部も兼用させるためネット高ゲージを切欠き形状に形成しているが、ネット高を指示する目盛をゲージ本体１０２側面に表示するなどしてネット高を指示してもよい。
【図面の簡単な説明】
【００４８】
【図１】本願発明の実施の形態を示す卓球用ゲージの平面図。
【図２】図１に示す卓球用ゲージの使用状態を示す斜視図。
【図３】従来の卓球用ゲージを示す平面図。
【符号の説明】
【００４９】
１０１    卓球用ゲージ
１０２    ゲージ本体
１０２ａ  ゲージレッグ
１０２ｂ  ゲージレッグ
１０２ｃ  ブリッジ部
１０３    ネット降下量ゲージ部
１０３ａ  公式ネット降下量ゲージ溝
１０３ｂ  ラージボール式ネット降下量ゲージ溝
１０４    肩部
１０４ａ  公式ネット高基準面
１０４ｂ  ラバー厚み基準面
１０５    肩部
１０５ａ  ラージボール式ネット高基準面
１０５ｂ  ラバーシート厚み基準面
２０１    卓球用ネット
２０２    卓球台
３０１    卓球用ゲージ
３０２    ゲージ本体
３０３    公式ネット高ゲージ部
３０３ａ  公式ネット高基準面
３０４    肩部
３０４ａ  ラージボール式ネット高基準面
３０４ｂ  ラバー厚基準面
３０５    肩部
３０５ａ  ラバーシート厚基準面  
【図１】
2005245924.tif 000003
【図２】
2005245924.tif 000004
【図３】
2005245924.tif 000005